(57)【要約】【課題】後打ちコンクリートにおける養生・硬化時の収縮クラックが道路橋の路面に起生することを防ぐ。【解決手段】無底凹部（１１ｘ）と有底凸部（１１ｙ）とが交互する平面視の蛇行形状に造形された向かい合う一対の起立フエイスプレート（１１）を備えた道路橋の伸縮装置において、その伸縮装置を道路橋の箱抜き凹所（Ｇ）へ埋設一体化する後打ちコンクリート（１７）の収縮クラック（Ｃ）が、上記蛇行形状に基いて路面に起生することを抑止するために、各起立フエイスプレート（１１）における隣り合う無底凹部（１１ｘ）の基端（１１ｘ−Ｒ）同士を、その路面へ直線状態に表出することとなる仕切り壁プレート（２０）により連結一体化して、各起立フエイスプレート（１１）の有底凸部（１１ｙ）とその背後に連通する箱抜き凹所（Ｇ）とを遮断した。【選択図】  図１
2008121190.tif 000002
【特許請求の範囲】
【請求項１】
起立板面の無底凹部（１１ｘ）と有底凸部（１１ｙ）とが交互する平面視の波形状や鋸歯形状、櫛形状、その他の連続的な蛇行形状をなす向かい合う一対の鋼板製起立フエイスプレート（１１）と、
その両起立フエイスプレート（１１）の向かい合うほぼ平行な蛇行間隙（Ｄ）に充填された弾性シール材（１４）と、
同じく両起立フエイスプレート（１１）の起立板面から所要間隔おきの配列分布状態として、相反する背後方向へ一体的に張り出し延長された複数づつの配力アンカー（１６）とを備え、
両起立フエイスプレート（１１）を道路橋のコンクリート床版（１０）同士又はその床版（１０）と橋台に切り欠かれた埋設用箱抜き凹所（Ｇ）内へ、その向かい合うほぼ平行な蛇行間隙（Ｄ）が道路橋の遊間（Ｓ）上に臨む対応位置関係として挿入セットした後、
その両起立フエイスプレート（１１）の有底凸部（１１ｙ）とその背後に連通する上記箱抜き凹所（Ｇ）へ、上方から打設する後打ちコンクリート（１７）により、その箱抜き凹所（Ｇ）内へ埋設一体化する道路橋の荷重支持型伸縮装置において、
上記箱抜き凹所（Ｇ）と舗装アスファルト（１５）との境界線（Ｘ−Ｘ）とほぼ平行に延在する直線として、路面に表出することとなる連続１枚物の仕切り壁プレート（２０）（２２）（２４）又は別個な複数の仕切り壁プレート（２０）（２２）（２４）により、各起立フエイスプレート（１１）における隣り合う無底凹部（１１ｘ）の基端（１１ｘ−Ｒ）同士を連結一体化して、
各起立フエイスプレート（１１）の有底凸部（１１ｙ）とその背後に連通する箱抜き凹所（Ｇ）とを遮断することにより、その各起立フエイスプレート（１１）の蛇行形状に基いて路面に起生する後打ちコンクリート（１７）の収縮クラック（Ｃ）を抑止したことを特徴とする道路橋の荷重支持型伸縮装置。
【請求項２】
各起立フエイスプレート（１１）における隣り合う無底凹部（１１ｘ）の基端（１１ｘ−Ｒ）同士を、その上段位置のみに延在する１列の仕切り壁プレート（２０）により連結一体化して、
各起立フエイスプレート（１１）の有底凸部（１１ｙ）とその背後に連通する箱抜き凹所（Ｇ）とを、路面から最上段の配力アンカー（１６）に接近するまでの一定深さ（ｄ１）だけ部分的に遮断したことを特徴とする請求項１記載の道路橋の荷重支持型伸縮装置。
【請求項３】
各起立フエイスプレート（１１）における隣り合う無底凹部（１１ｘ）の基端（１１ｘ−Ｒ）同士を、その上段位置と下段位置に延在するほぼ平行な２列の仕切り壁プレート（２０）（２２）により連結一体化して、
各起立フエイスプレート（１１）の有底凸部（１１ｙ）とその背後に連通する箱抜き凹所（Ｇ）とを、上段仕切り壁プレート（２０）により路面から最上段の配力アンカー（１６）に接近するまでの一定深さ（ｄ１）だけ部分的に遮断する一方、下段仕切り壁プレート（２２）により上記箱抜き凹所（Ｇ）の底面（１２）から最下段の配力アンカー（１６）に接近するまでの一定高さ（ｄ２）だけ部分的に遮断したことを特徴とする請求項１記載の道路橋の荷重支持型伸縮装置。
【請求項４】
各起立フエイスプレート（１１）における隣り合う無底凹部（１１ｘ）の基端（１１ｘ−Ｒ）同士を、その各起立フエイスプレート（１１）とほぼ同じ一定な背丈（ｈ）として延在する仕切り壁プレート（２４）により連結一体化して、
各起立フエイスプレート（１１）の有底凸部（１１ｙ）とその背後に連通する箱抜き凹所（Ｇ）とを、路面から箱抜き凹所（Ｇ）の底面（１２）に到達するまでの全体的に遮断したことを特徴とする請求項１記載の道路橋の荷重支持型伸縮装置。
【請求項５】
仕切り壁プレート（２０）（２２）（２４）によって箱抜き凹所（Ｇ）と遮断された各起立フエイスプレート（１１）の有底凸部（１１ｙ）内を、
その有底凸部（１１ｙ）の先端（１１ｙ−Ｆ）と仕切り壁プレート（２０）（２２）（２４）との前後相互間に亘って溶接された荷重支持片（３０）か、又は有底凸部（１１ｙ）の先端（１１ｙ−Ｆ）から仕切り壁プレート（２０）（２２）（２４）を突っ切り分割する如く、背後方向へ一体的に張り出し延長された配力アンカー（１６）により、細かく区分したことを特徴とする請求項１、２、３又は４記載の道路橋の荷重支持型伸縮装置。
【請求項６】
各起立フエイスプレート（１１）の配力アンカー（１６）と別個な補強配力アンカー（２７）の複数を、仕切り壁プレート（２０）（２２）（２４）から背後方向へ各々一体的に張り出し延長させたことを特徴とする請求項１、２、３又は４記載の道路橋の荷重支持型伸縮装置。
【請求項７】
各起立フエイスプレート（１１）の配力アンカー（１６）と別個な鉄筋又はネジ棒から成る補強配力アンカー（２７）の複数を、仕切り壁プレート（２０）（２２）（２４）に所要間隔おきの点在分布状態として対応形成した複数の補強配力アンカー用挿通孔（２８）から、各起立フエイスプレート（１１）の有底凸部（１１ｙ）内へ抜き差し自在に差し込むと共に、
その各補強配力アンカー（２７）に刻設したネジ軸部（２７ａ）を固定ナット（２９）によって、上記仕切り壁プレート（２０）（２２）（２４）へ着脱自在に取り付けたことを特徴とする請求項１、２、３又は４記載の道路橋の荷重支持型伸縮装置。
【請求項８】
各起立フエイスプレート（１１）の無底凹部（１１ｘ）と有底凸部（１１ｙ）とを、平面視のほぼＺ字形、ほぼＳ字形又は／及びほぼＬ字形に折り曲げられたプレートセグメント（１１ｐ）の複数から継ぎ足し状態に溶接することにより、平面視の連続的な波形に組み立てたことを特徴とする請求項１、２、３又は４記載の道路橋の荷重支持型伸縮装置。
【請求項９】
各起立フエイスプレート（１１）の無底凹部（１１ｘ）と有底凸部（１１ｙ）とを、平面視のほぼＬ字形又は／及びほぼＺ字形に折り曲げられたプレートセグメント（１１ｐ）の複数から継ぎ足し状態に溶接することにより、平面視の連続的な櫛形に組み立てたことを特徴とする請求項１、２、３又は４記載の道路橋の荷重支持型伸縮装置。
【請求項１０】
各起立フエイスプレート（１１）の有底凸部（１１ｙ）を１枚物のプレートセグメント（１１ｐ）から平面視のほぼコ字形に折り曲げるか、又は別個な２枚のプレートセグメント（１１ｐ−１）（１１ｐ−２）から平面視のほぼコ字形に溶接すると共に、
そのほぼコ字形プレートセグメント（１１ｐ）（１１ｐ−１）（１１ｐ−２）の切り離し両端基部を仕切り壁プレート（２０）（２２）（２４）へ各々突き当て状態に溶接することにより、上記有底凸部（１１ｙ）を各々平面視の長方形に区画形成して、
その長方形の有底凸部（１１ｙ）と、これを逃し入れる相対的なほぼ逆向きコ字形の無底凹部（１１ｘ）とが、交互することになる平面視の全体的な櫛形に組み立てたことを特徴とする請求項１、２、３又は４記載の道路橋の荷重支持型伸縮装置。
【請求項１１】
各起立フエイスプレート（１１）の有底凸部（１１ｙ）を１枚物のプレートセグメント（１１ｐ）から平面視のほぼく字形若しくはほぼレ字形に折り曲げるか、又は別個な２枚のプレートセグメント（１１ｐ−１）（１１ｐ−２）から平面視のほぼく字形若しくはほぼレ字形に溶接すると共に、
そのほぼく字形又はほぼレ字形プレートセグメント（１１ｐ）（１１ｐ−１）（１１ｐ−２）の切り離し両端基部を仕切り壁プレート（２０）（２２）（２４）へ各々突き当て状態に溶接することにより、上記有底凸部（１１ｙ）を各々平面視の三角形に区画形成して、
その三角形の有底凸部（１１ｙ）と、これを逃し入れる相対的なほぼ逆向きく字形又はほぼ逆向きレ字形の無底凹部（１１ｘ）とが、交互することになる平面視の全体的な鋸歯形に組み立てたことを特徴とする請求項１、２、３又は４記載の道路橋の荷重支持型伸縮装置。
【請求項１２】
各起立フエイスプレート（１１）の有底凸部（１１ｙ）を区画形成するプレートセグメント（１１ｐ）（１１ｐ−１）（１１ｐ−２）から、後打ちコンクリート（１７）のジベルとなる突起（２３）を内向き一体的に張り出したことを特徴とする請求項１０又は１１記載の道路橋の荷重支持型伸縮装置。
【請求項１３】
各起立フエイスプレート（１１）の有底凸部（１１ｙ）から仕切り壁プレート（２０）の下方間隙（Ｏ１）又は上段仕切り壁プレート（２０）と下段仕切り壁プレート（２２）との相互間隙（Ｏ２）を通じて、鉄筋又は鋼板から成る配力アンカー（１６）を背後方向へ、各々一体的に張り出し延長させたことを特徴とする請求項１、２又は３記載の道路橋の荷重支持型伸縮装置。
【請求項１４】
各起立フエイスプレート（１１）の有底凸部（１１ｙ）を平面視のＬ字形に折り曲げられた薄肉な第１プレートセグメント（１１ｐ−１）と、これよりも厚肉のストレートな第２プレートセグメント（１１ｐ−２）とから、平面視のほぼコ字形に溶接すると共に、
上記第１プレートセグメント（１１ｐ−１）の切り離し基端部を仕切り壁プレート（２０）（２２）へ各々突き当て状態に溶接する一方、
上記第２プレートセグメント（１１ｐ−２）を配力アンカー（１６）として、仕切り壁プレート（２０）の下方間隙（Ｏ１）又は上段仕切り壁プレート（２０）と下段仕切り壁プレート（２２）との相互間隙（Ｏ２）を通じて背後方向へ、各々張り出し延長させたことを特徴とする請求項１３記載の道路橋の荷重支持型伸縮装置。
【請求項１５】
各起立フエイスプレート（１１）の有底凸部（１１ｙ）を薄肉のストレートな第１プレートセグメント（１１ｐ−１）と、これよりも厚肉のストレートな第２プレートセグメント（１１ｐ−２）とから、平面視のほぼく字形又はほぼレ字形に溶接すると共に、
上記第１プレートセグメント（１１ｐ−１）の切り離し基端部を仕切り壁プレート（２０）（２２）へ各々突き当て状態に溶接する一方、
上記第２プレートセグメント（１１ｐ−２）を配力アンカー（１６）として、仕切り壁プレート（２０）の下方間隙（Ｏ１）又は上段仕切り壁プレート（２０）と下段仕切り壁プレート（２２）との相互間隙（Ｏ２）を通じて背後方向へ、各々張り出し延長させたことを特徴とする請求項１３記載の道路橋の荷重支持型伸縮装置。
【請求項１６】
箱抜き凹所（Ｇ）と各起立フエイスプレート（１１）の有底凸部（１１ｙ）とを全体的に遮断する仕切り壁プレート（２４）の中途高さ位置へ、後打ちコンクリート（１７）のジベルとなる突起（２３）又は連通口（２６）を設けたことを特徴とする請求項１又は４記載の道路橋の荷重支持型伸縮装置。
【請求項１７】
各起立フエイスプレート（１１）の有底凸部（１１ｙ）を平面視のＬ字形に折り曲げられた薄肉な第１プレートセグメント（１１ｐ−１）と、これよりも厚肉のストレートな第２プレートセグメント（１１ｐ−２）とから、平面視のほぼコ字形に溶接すると共に、
上記第１プレートセグメント（１１ｐ−１）の切り離し基端部を仕切り壁プレート（２４）へ各々突き当て状態に溶接する一方、
上記第２プレートセグメント（１１ｐ−２）を配力アンカー（１６）として、上記有底凸部（１１ｙ）と箱抜き凹所（Ｇ）との全体的な遮断状態にある仕切り壁プレート（２４）を突っ切り分割する如く、各々背後方向へ張り出し延長させることにより、上記有底凸部（１１ｙ）を各々平面視の長方形又は平行四辺形に区画形成し、
その長方形又は平行四辺形の有底凸部（１１ｙ）と、これを逃し入れる相対的なほぼ逆向きコ字形の無底凹部（１１ｘ）とが、交互することになる平面視の全体的な櫛形に組み立てたことを特徴とする請求項１又は４記載の道路橋の荷重支持型伸縮装置。
【請求項１８】
平面視の長方形又は平行四辺形に区画形成された有底凸部（１１ｙ）内へ、後打ちコンクリート（１７）やこれよりも骨材の粒度が細かい樹脂コンクリート、無収縮モルタル、セメントモルタル、その他の各種充填物（５１）を打設したことを特徴とする請求項１７記載の道路橋の荷重支持型伸縮装置。
【請求項１９】
各起立フエイスプレート（１１）の有底凸部（１１ｙ）を区画形成する第１プレートセグメント（１１ｐ−１）又は／及び第２プレートセグメント（１１ｐ−２）から、充填物（１７）（５１）のジベルとなる突起（５２）を内向き一体的に張り出したことを特徴とする請求項１８記載の道路橋の荷重支持型伸縮装置。
【請求項２０】
仕切り壁プレート（２２）（２４）における下端部の前面又は後面へ、直かに接着一体化するか又はその仕切り壁プレート（２２）（２４）と別個な押えプレート（３１）を介して挟み付け固定した弾性止水ベルト（３２）により、両起立フエイスプレート（１１）の向かい合うほぼ平行な蛇行間隙（Ｄ）を下方から遮蔽したことを特徴とする請求項１、３又は４記載の道路橋の荷重支持型伸縮装置。
【請求項２１】
仕切り壁プレート（１１）の下端部を遊間（Ｓ）へ臨むコンクリート床版（１０）又は橋台の角欠け防止カバー（３６）として、箱抜き凹所（Ｇ）の底面（１２）よりも深く連続的に垂下させると共に、
その角欠け防止カバー（３６）の前面又は後面へ直かに接着一体化するか、又はその角欠け防止カバー（３６）と別個な押えプレート（３７）を介して挟み付け固定した弾性止水ベルト（３２）により、両起立フエイスプレート（１１）の向かい合うほぼ平行な蛇行間隙（Ｄ）を下方から遮蔽したことを特徴とする請求項１、３又は４記載の道路橋の荷重支持型伸縮装置。
【請求項２２】
各起立フエイスプレート（１１）における有底凸部（１１ｙ）の底プレート（１３）とほぼ平行な止水ベルト支持ステー（３４）を、仕切り壁プレート（２２）（２４）の下端部から遊間（Ｓ）への前向き一体的に張り出すと共に、
その止水ベルト支持ステー（３４）へ直かに接着一体化するか、又は上記底プレート（１３）と止水ベルト支持ステー（３４）との上下相互間へ挟み付け固定した弾性止水ベルト（３２）により、両起立フエイスプレート（１１）の向かい合うほぼ平行な蛇行間隙（Ｄ）を下方から遮蔽したことを特徴とする請求項１、３又は４記載の道路橋の荷重支持型伸縮装置。
【請求項２３】
仕切り壁プレート（２２）（２４）の下端部を箱抜き凹所（Ｇ）内へ据え付けられる埋設用架台（Ｍ）の垂直な前脚片（３９）として、連続的に垂下させると共に、
その前脚片（３９）と向かい合うほぼ平行な後脚片（４０）並びにその両脚片（３９）（４０）の前後相互間に介在するほぼ水平な仕切り連結材（４１ａ）又は垂直な仕切り連結材（４１ｂ）の複数とから、上記架台（Ｍ）を後打ちコンクリート（１７）の流通自由な平面視の格子形態に枠組み一体化して、
その架台（Ｍ）の上面から点在分布する複数の組立施工用スタッドアンカー（４２）を一体的に起立させる一方、
同じく架台（Ｍ）の前脚片（３９）へ直かに接着一体化するか、又はその前脚片（３９）と別個な押えプレート（４３）を介して挟み付け固定した弾性止水ベルト（３２）により、両起立フエイスプレート（１１）の向かい合うほぼ平行な蛇行間隙（Ｄ）を下方から遮蔽したことを特徴とする請求項１、３又は４記載の道路橋の荷重支持型伸縮装置。
【請求項２４】
弾性止水ベルト（３２）を道路橋の一車線とほぼ対応する単位長さの受け樋形に弯曲形成して、その単位長さ同士の継ぎ目を弾性止水パッド（４５）の貼り合わせによって密封すると共に、
上記弾性止水ベルト（３２）の内部へスポンジやその他の防音兼用止水材（４６）を充填したことを特徴とする請求項２０、２１、２２又は２３記載の道路橋の荷重支持型伸縮装置。
【請求項２５】
仕切り壁プレート（２２）（２４）の下端部を鋼製主桁（４７）に対するＬ字形取付プレート（Ａ）の垂直な脚片（４８）として、連続的に垂下させると共に、
その取付プレート（Ａ）の残るほぼ水平なコンクリート床版用抜け落ち防止片（４９）を複数のネジ締結具（５０）によって、上記主桁（４７）へ固定したことを特徴とする請求項１、３又は４記載の道路橋の荷重支持型伸縮装置。
【発明の詳細な説明】
【技術分野】
【０００１】
本発明は道路橋の荷重支持型伸縮装置に係り、殊更その後打ちコンクリートの収縮クラックが路面に起生することを抑止して、耐用性や信頼性を向上させるために工夫したものである。
【背景技術】
【０００２】
鋼板製起立フエイスプレートの向かい合う相互間隙が道路橋の遊間（継ぎ目）上において、平面視の連続的な波形状に蛇行し、その波形状の無底凹部と交互して遊間上へ張り出す有底凸部と、その背後に連通する床版や橋台の箱抜き凹所へ、後打ちコンクリートを打設することにより、その箱抜き凹所へ埋設施工されることになる道路橋の荷重支持型伸縮装置としては、例えば特公昭５１−４９５０３号公報や特開２０００−１４４６１４号公報に記載されているとおり、既に公知である。
【０００３】
このような型式の伸縮装置によれば、両起立フエイスプレートの向かい合う相互間隙が平面視の連続的な波形状として、その無底凹部と有底凸部との境界部が橋軸線やその横断線の何れとも直交しない傾斜面をなし、ここに通行車両のタイヤ面が跨がり接地して、そのタイヤ面により上記間隙を吸収することになるため、突然の振動・衝撃に基く乗り心地の不快感や騒音の発生を抑制できる利点がある。
【特許文献１】特公昭５１−４９５０３号公報
【特許文献２】特開２０００−１４４６１４号公報
【発明の開示】
【発明が解決しようとする課題】
【０００４】
ところが、上記伸縮装置の構成では図５１〜５３に示す如く、その両起立フエイスプレート（１）の向かい合う相互間隙（Ｄ）が無底凹部（１ｘ）と有底凸部（１ｙ）との交互する平面視の連続的な波形状をなし、その遊間（Ｓ）上へ張り出す波形状の有底凸部（１ｙ）と、その背後に連通する橋台や床版（２）の箱抜き凹所（Ｇ）へ、施工現場において後打ちコンクリート（３）が打設されることになるため、特に無底凹部（１ｘ）の基端（１ｘ−Ｒ）を発生源とする後打ちコンクリート（３）の収縮クラック（Ｃ）が、その後打ちコンクリート（３）の養生中路面に見苦しく起生し、その波及により耐用性や信頼性を低下させてしまうのである。
【０００５】
即ち、後打ちコンクリート（３）は凝固時に水分を必要とするが、その橋台や床版（２）の箱抜き凹所（Ｇ）に対する打設容量は多く、その箱抜き凹所（Ｇ）と舗装アスファルト（４）との境界線（橋軸との直交線）（Ｘ−Ｘ）から、上記波形状をなす無底凹部（１ｘ）の基端（１ｘ−Ｒ）までの開口長さ（Ｌ１）に比して、同じく境界線（Ｘ−Ｘ）から有底凸部（１ｙ）の先端（１ｙ−Ｆ）までの開口長さ（Ｌ２）は長く相違変化している。
【０００６】
又、平面視の長方形をなす上記箱抜き凹所（Ｇ）の開口幅（道路幅）（Ｗ１）に比して、平面視の波形状をなす各有底凸部（１ｙ）の開口幅（Ｗ２）は著しく狭く相違変化しており、その各有底凸部（１ｙ）に対する後打ちコンクリート（３）の打設容量が非常に少ない。
【０００７】
そのため、後打ちコンクリート（３）におけるセメントと水との所定配合比率、就中セメントに対する水の占有比率が上記箱抜き凹所（Ｇ）と各有底凸部（１ｙ）との相互間において、その養生中に外気の温度条件などを受ける表面積の相違とも相俟ち、自づと激しく変動すると共に、凝固時に水分を奪い合うこととなり、その奪い合う境界部をなす各無底凹部（１ｘ）の基端（１ｘ−Ｒ）のコーナー個所から舗装アスファルト（４）に向かって、水不足による後打ちコンクリート（３）の収縮クラック（Ｃ）が路面に起生するのである。しかも、その収縮クラック（Ｃ）は路面から経時的に深く進入すると共に、枝分かれする如く広大に波及することとなり、伸縮装置としての耐用性や信頼性を低下させるに至る。
【０００８】
そして、このような現象は図５１〜５３に示した波形状の伸縮装置のみに限らず、その交互する無底凹部（１ｘ）と有底凸部（１ｙ）との境界部（１ｚ）が、橋軸線との平行面をなす櫛形状の伸縮装置（所謂フィンガージョイント）でも、全く同じ上記理由に基いて、やはり発生するのである。
【課題を解決するための手段】
【０００９】
本発明はこのような課題の改良を目的としており、その目的を達成するために、請求項１では起立板面の無底凹部と有底凸部とが交互する平面視の波形状や鋸歯形状、櫛形状、その他の連続的な蛇行形状をなす向かい合う一対の鋼板製起立フエイスプレートと、
【００１０】
その両起立フエイスプレートの向かい合うほぼ平行な蛇行間隙に充填された弾性シール材と、
【００１１】
同じく両起立フエイスプレートの起立板面から所要間隔おきの配列分布状態として、相反する背後方向へ一体的に張り出し延長された複数づつの配力アンカーとを備え、
【００１２】
両起立フエイスプレートを道路橋のコンクリート床版同士又はその床版と橋台に切り欠かれた埋設用箱抜き凹所内へ、その向かい合うほぼ平行な蛇行間隙が道路橋の遊間上に臨む対応位置関係として挿入セットした後、
【００１３】
その両起立フエイスプレートの有底凸部とその背後に連通する上記箱抜き凹所へ、上方から打設する後打ちコンクリートにより、その箱抜き凹所内へ埋設一体化する道路橋の荷重支持型伸縮装置において、
【００１４】
上記箱抜き凹所と舗装アスファルトとの境界線とほぼ平行に延在する直線として、路面に表出することとなる連続１枚物の仕切り壁プレート又は別個な複数の仕切り壁プレートにより、各起立フエイスプレートにおける隣り合う無底凹部の基端同士を連結一体化して、
【００１５】
各起立フエイスプレートの有底凸部とその背後に連通する箱抜き凹所とを遮断することにより、その各起立フエイスプレートの蛇行形状に基いて路面に起生する後打ちコンクリートの収縮クラックを抑止したことを特徴とする。
【００１６】
又、請求項２では各起立フエイスプレートにおける隣り合う無底凹部の基端同士を、その上段位置のみに延在する１列の仕切り壁プレートにより連結一体化して、
【００１７】
各起立フエイスプレートの有底凸部とその背後に連通する箱抜き凹所とを、路面から最上段の配力アンカーに接近するまでの一定深さだけ部分的に遮断したことを特徴とする。
【００１８】
請求項３では各起立フエイスプレートにおける隣り合う無底凹部の基端同士を、その上段位置と下段位置に延在するほぼ平行な２列の仕切り壁プレートにより連結一体化して、
【００１９】
各起立フエイスプレートの有底凸部とその背後に連通する箱抜き凹所とを、上段仕切り壁プレートにより路面から最上段の配力アンカーに接近するまでの一定深さだけ部分的に遮断する一方、下段仕切り壁プレートにより上記箱抜き凹所の底面から最下段の配力アンカーに接近するまでの一定高さだけ部分的に遮断したことを特徴とする。
【００２０】
更に、請求項４では各起立フエイスプレートにおける隣り合う無底凹部の基端同士を、その各起立フエイスプレートとほぼ同じ一定な背丈として延在する仕切り壁プレートにより連結一体化して、
【００２１】
各起立フエイスプレートの有底凸部とその背後に連通する箱抜き凹所とを、路面から箱抜き凹所の底面に到達するまでの全体的に遮断したことを特徴とする。
【発明の効果】
【００２２】
請求項１の上記構成によれば、後打ちコンクリートの養生中外気の温度条件に晒される表面積の狭小な凸形状を呈する各起立フエイスプレートの有底凸部と、同じく表面積の広く単純な長方形を呈する箱抜き凹所とが、その箱抜き凹所と舗装アスファルトとの境界線とほぼ平行に延在する直線として路面へ表出する仕切り壁プレートを介して、その路面からの一定深さだけ遮断されているため、上記起立フエイスプレートが平面視の連続的な蛇行形状をなす特殊性に起因して、その後打ちコンクリートにおける凝固時の路面に発生する収縮クラックを確実に抑止することができ、この種荷重支持型伸縮装置の耐用性と信頼性を向上させ得る効果がある。
【００２３】
そして、このような効果は請求項２〜４の構成でも同様に達成できるが、特に請求項３、４の構成を採用するならば、上記仕切り壁プレートによって起立フエイスプレートの歪み変形を効果的に防止し得るほか、その仕切り壁プレートが箱抜き凹所の底面に垂立することとなる下端部を活用して、別個な弾性止水ベルトを取り付けたり、その弾性止水ベルトの内部へ更に防音兼用止水材を充填したりすることもでき、両起立フエイスプレートの向かい合うほぼ平行な蛇行間隙に充填された弾性シール材と相俟って、道路橋の遊間を重畳的な止水・防音状態に密封し得る効果がある。
【００２４】
殊更、請求項４の構成によれば、上記起立フエイスプレートの配力アンカーに代る補強配力アンカーの複数を、その起立フエイスプレートの有底凸部と箱抜き凹所とを全体的に遮断した仕切り壁プレートから、箱抜き凹所への後向きとして自由な左右相互間隔ピッチのもとに張り出し延長させることができ、上記有底凸部に対する各種充填物の打設や荷重支持片の介挿設置とも相俟って、優れた耐荷強度を発揮させ得るのであり、伸縮量の大きな伸縮装置や長大橋用のそれとして著しく有効になる。
【発明を実施するための最良の形態】
【００２５】
以下、図面に基いて本発明の具体的構成を詳述すると、先ず図１〜９はその本発明に係る荷重支持型伸縮装置の第１実施形態を示しており、（Ｇ）は道路橋の遊間（継ぎ目）（Ｓ）に跨がる側面視の向かい合うほぼＬ字形として、その道路橋のコンクリート床版（１０）同士又は床版（１０）と橋台に切り欠かれた伸縮装置埋設用の箱抜き凹所であり、平均的に約１２０〜２５０mmの深さを有する。
【００２６】
（１１）は上記箱抜き凹所（Ｇ）の深さとほぼ対応する背丈（ｈ）を備えた向かい合う一対の鋼板製起立フエイスプレートであって、その起立板面の無底凹部（１１ｘ）と有底凸部（１１ｙ）とが連続１枚物の鋼板から、交互する平面視の蛇行形状に屈曲形成されており、無底凹部（１１ｘ）の基端（１１ｘ−Ｒ）が上記箱抜き凹所（Ｇ）の底面（１２）に垂立される一方、有底凸部（１１ｙ）が箱抜き凹所（Ｇ）と連通する状態のもとで、上記遊間（Ｓ）への前向きに張り出すこととなる。（１３）は有底凸部（１１ｙ）の底プレートであり、前上がりの傾斜状態に溶接されている。
【００２７】
茲に、平面視の連続的な蛇行形状としては、上記無底凹部（１１ｘ）と有底凸部（１１ｙ）との境界部（１１ｚ）が道路橋における橋軸線とその横断線との何れとも直交しない傾斜面を呈する図５、１６、３０のようなほぼＵ字形での交互する滑らかな波形状や、図１、２、６のようなほぼ台形での交互する角張った波形状、図２８、４６のようなほぼく字形又はほぼレ字形での交互する鋸歯形状であっても良く、更に無底凹部（１１ｘ）と有底凸部（１１ｙ）との境界部（１１ｚ）が橋軸線との平行面をなす図３６〜４０のようなほぼコ字形での交互する櫛形状であってもさしつかえない。
【００２８】
何れにしても、両起立フエイスプレート（１１）の向かい合うほぼ平行な蛇行間隙（Ｄ）内には、ゴムやスポンジなどの弾性シール材（１４）が充填されており、これによって蛇行間隙（Ｄ）へ浸入する雨水を初め、通行車両からの落下土砂やタイヤの摩耗片、舗装アスファルト（１５）の剥離片などを捕捉し、これらの各種障害物が道路橋の遊間（Ｓ）から落下しないようになっている。
【００２９】
（１６）は両起立フエイスプレート（１１）の起立板面を形作っている無底凹部（１１ｘ）の基端（１１ｘ−Ｒ）と有底凸部（１１ｙ）の先端（１１ｙ−Ｆ）とから、各々上下の複数段づつとして相反する背後方向へ一体的に張り出し延長された配力アンカーであり、その隣り合う一定の左右相互間隔ピッチを保って並列している。
【００３０】
そして、このような一対の起立フエイスプレート（１１）は施工現場において上記箱抜き凹所（Ｇ）の内部へ、これに渡架される吊持バー（図示省略）の使用により、その向かい合うほぼ平行な蛇行間隙（Ｄ）が道路橋の遊間（Ｓ）上に臨む対応位置関係として挿入セットされた後、上記有底凸部（１１ｙ）とその背後に連通する箱抜き凹所（Ｇ）へ、上方から後打ちコンクリート（１７）が打設されることによって、その箱抜き凹所（Ｇ）の内部へ埋設一体化されることとなる。
【００３１】
尚、（１８）は上記配力アンカー（１６）との交叉状態に横架される複数の組立施工用通し筋、（１９）は同じくコンクリート床版（１０）又は橋台に予じめ設置されたＵ字形の埋込み筋であるが、伸縮装置の補修時にはこれに代る差し筋アンカー（図示省略）が使用されることもある。
【００３２】
その後打ちコンクリート（１７）と喰い付き一体化する起立フエイスプレート（１１）の配力アンカー（１６）として、図３〜６では上記無底凹部（１１ｘ）の基端（１１ｘ−Ｒ）と有底凸部（１１ｙ）の先端（１１ｙ−Ｆ）にスタッド溶接された鉄筋を示しているが、その鉄筋に代るネジ棒や鋼板（フラットバー）などを採用しても良く、特に鋼板から成る配力アンカー（１６）を採用する場合には、これを図９のように上記有底凸部（１１ｙ）と無底凹部（１１ｘ）との境界傾斜面へ、その有底凸部（１１ｙ）の内側からラップ溶接することもできる。又、その鋼板を寒冷地の除雪機用誘導板として、上記起立フエイスプレート（１１）の何れか一方だけにスタッド溶接することもあり得る。
【００３３】
更に、（２０）は各起立フエイスプレート（１１）における隣り合う無底凹部（１１ｘ）の基端（１１ｘ−Ｒ）同士を悉く連結一体化すべく、その基端（１１ｘ−Ｒ）の上段位置へ１列に溶接された仕切り壁プレートであり、上方から見た場合図１、２のような上記箱抜き凹所（Ｇ）と舗装アスファルト（１５）との境界線（Ｘ−Ｘ）とほぼ平行に延在する直線として、後打ちコンクリート（１７）の路面に表出している。
【００３４】
しかも、その仕切り壁プレート（２０）は一定の帯幅を有する鋼板（フラットバー）として、各起立フエイスプレート（１１）の有底凸部（１１ｙ）とその背後に連通する箱抜き凹所（Ｇ）とを、路面から最上段の配力アンカー（１６）に接近するまでの一定深さ（ｄ１）だけ部分的に遮断している。
【００３５】
茲に、路面からの一定深さ（ｄ１）は最上段の配力アンカー（１６）やこれとの交叉状態に載架される組立施工用の通し筋（１８）における後打ちコンクリート（１７）のかぶり代とほぼ対応する寸法として、例えば約３０〜４０mmである。
【００３６】
これを換言すれば、最上段の配力アンカー（１６）でさえも仕切り壁プレート（２０）と干渉することなく、各起立フエイスプレート（１１）の有底凸部（１１ｙ）と無底凹部（１１ｘ）から仕切り壁プレート（２０）の下方間隙（Ｏ１）を通じて、背後方向へ一体的に張り出し延長されているわけである。
【００３７】
つまり、各起立フエイスプレート（１１）は平面視の連続的な蛇行形状をなす特殊性として、図５１〜５３に基き説示した従来技術の課題を内包するが、本発明では後打ちコンクリート（１７）が養生中外気の温度条件に晒される表面積の狭小な凸形状として遊間（Ｓ）上へ張り出す各有底凸部（１１ｙ）と、同じく表面積の広く単純な長方形を呈する箱抜き凹所（Ｇ）とを、上記仕切り壁プレート（２０）によって路面からの一定深さ（ｄ１）だけ遮断しているのである。
【００３８】
そのため、その平面形状・大きさが相違する各有底凸部（１１ｙ）と箱抜き凹所（Ｇ）との境界部をなす各無底凹部（１１ｘ）の基端（１１ｘ−Ｒ）において、凝固する後打ちコンクリート（１７）の水分奪い合い作用が起り難く、そのセメントに対する水の占有比率は各有底凸部（１１ｙ）と箱抜き凹所（Ｇ）との各別な均一に保たれて、上記無底凹部（１１ｘ）の基端（１１ｘ−Ｒ）のコーナー個所から図５１、５２のような舗装アスファルト（１５）に向かう後打ちコンクリート（１７）の収縮クラック（Ｃ）が、その路面に見苦しく表出するおそれはなく、更に上記仕切り壁プレート（２０）によって各起立フエイスプレート（１１）の歪み変形することも防止でき、この種荷重支持型伸縮装置の耐用性と信頼性を向上させ得る効果がある。
【００３９】
その場合、図１〜７では各起立フエイスプレート（１１）における隣り合う無底凹部（１１ｘ）の基端（１１ｘ−Ｒ）同士を、その上段位置へ外接状態に溶接した連続１枚物の長い仕切り壁プレート（２０）により連結一体化しているが、上記趣旨を達成できる限り、図５、６と対応する図８、９のように、複数の短かい鋼板から成る仕切り壁プレート（２０）を各有底凸部（１１ｙ）の内側へ、その無底凹部（１１ｘ）の基端（１１ｘ−Ｒ）と面一状態に嵌め付け溶接することにより、やはり箱抜き凹所（Ｇ）と舗装アスファルト（１５）との境界線（Ｘ−Ｘ）とほぼ平行な直線として延在させても良い。
【００４０】
尚、両起立フエイスプレート（１１）は一定の単位長さ（例えば約１，０００〜１，８００mm）を備えており、その複数づつの隣り合う同士が、端部に溶接されている接続アングル（２１）とネジ締結具（図示省略）を介して、道路橋の横断線に沿う直列状態に継ぎ足し一体化されることは言うまでもない。
【００４１】
次に、図１０〜１３は本発明の第２実施形態を示しており、これでは各起立フエイスプレート（１１）における隣り合う無底凹部（１１ｘ）の基端（１１ｘ−Ｒ）同士を連結一体化すべく、その基端（１１ｘ−Ｒ）の上段位置に溶接された上記第１実施形態の鋼板を上段仕切り壁プレート（２０）として、同じく基端（１１ｘ−Ｒ）の下段位置にも別個な一定帯幅の鋼板から成る下段仕切り壁プレート（２２）を、上段仕切り壁プレート（２０）とほぼ平行に延在する合計２列として溶接している。その下段仕切り壁プレート（２２）は上段仕切り壁プレート（２２）と同じ鋼板や平鉄であっても良い。
【００４２】
そして、その上段仕切り壁プレート（２０）により上記第１実施形態と同じく、各起立フエイスプレート（１１）の有底凸部（１１ｙ）とその背後に連通する箱抜き凹所（Ｇ）とを、路面から最上段の配力アンカー（１６）に接近するまでの一定深さ（ｄ１）だけ部分的に遮断する一方、下段仕切り壁プレート（２２）によって上記箱抜き凹所（Ｇ）の底面（１２）から最下段の配力アンカー（１６）に接近するまでの一定高さ（ｄ２）だけ部分的に遮断するようになっている。
【００４３】
その場合、各起立フエイスプレート（１１）の配力アンカー（１６）はその無底凹部（１１ｘ）の基端（１１ｘ−Ｒ）と有底凸部（１１ｙ）の先端（１１ｙ−Ｆ）から、上段仕切り壁プレート（２０）と下段仕切り壁プレート（２２）との相互間隙（Ｏ２）を通じて、上記第１実施形態と同様に背後方向へ張り出し延長させることができる。
【００４４】
第２実施形態におけるその他の構成は上記第１実施形態と実質的に同一であるため、各起立フエイスプレート（１１）の有底凸部（１１ｙ）と箱抜き凹所（Ｇ）へ打設された後打ちコンクリート（１７）の収縮クラック（Ｃ）が、その養生・凝固時路面に起生するおそれを、上段仕切り壁プレート（２０）によってやはり抑止することができ、しかも下段仕切り壁プレート（２２）の追加により各起立フエイスプレート（１１）の強度アップや、その箱抜き凹所（Ｇ）の底面（１２）に対する垂立施工状態の安定性を図れるのである。
【００４５】
尚、第１、２実施形態の上記仕切り壁プレート（２０）（２２）としては鋼板（フラットバー）に代えて、後打ちコンクリート（１７）のジベルとなる突起（２３）を備えたアングル型鋼材も採用に値いし、その上段仕切り壁プレート（２０）のアングル型鋼材を図４のような倒立Ｌ字形に使用すれば、吊持バーとスポット溶接できる利点がある。
【００４６】
更に、図１４〜１６は本発明の第３実施形態を示しており、これではやはり各起立フエイスプレート（１１）における隣り合う無底凹部（１１ｘ）の基端（１１ｘ−Ｒ）同士を連結一体化するため、その各起立フエイスプレート（１１）の背丈（ｈ）とほぼ同じ広い一定帯幅の鋼板から成る仕切り壁プレート（２４）を、上記基端（１１ｘ−Ｒ）への全面密着状態に溶接している。
【００４７】
このような仕切り壁プレート（２４）によって、各起立フエイスプレート（１１）の有底凸部（１１ｙ）とその背後に連通する箱抜き凹所（Ｇ）とを、路面から箱抜き凹所（Ｇ）の底面（１２）に到達するまでの全体的に遮断しており、上記第１、２実施形態の構成と異なって、後打ちコンクリート（１７）がその各有底凸部（１１ｙ）と箱抜き凹所（Ｇ）へ、各別に打設されるようになっているのである。
【００４８】
その結果、後打ちコンクリート（１７）の凝固時における収縮クラック（Ｃ）が、その路面へ見苦しく表出するおそれを、上記仕切り壁プレート（２４）によってやはり確実に抑止できるのみならず、各起立フエイスプレート（１１）の耐久強度やその箱抜き凹所（Ｇ）の底面（１２）に対する垂立施工状態の安定性がますます向上することにもなる。
【００４９】
第３実施形態における各起立フエイスプレート（１１）の配力アンカー（１６）については、これと対応位置する配力アンカー用逃し入れ孔（２５）を上記仕切り壁プレート（２４）の中途高さ位置へ開口分布させることにより、その有底凸部（１１ｙ）の先端（１１ｙ−Ｆ）から逃し入れ孔（２５）を通じて、背後方向へ一体的に張り出し延長させれば良い。
【００５０】
又、第３実施形態の仕切り壁プレート（２４）については、その中途高さ位置へ後打ちコンクリート（１７）のジベルとなる１列又は複数の突起（２３）や、複数の連通口（２６）を設けることが望ましい。
【００５１】
尚、第２、３実施形態におけるその他の構成は上記第１実施形態と図８、９に示す構成も含めて実質的に同一であるため、その図１０〜１６に図１〜９との対応符号を記入するにとどめて、その詳細な説明を省略する。
【００５２】
上記第１〜３実施形態の何れにあっても、道路橋の遊間（Ｓ）へ前向きに張り出す各起立フエイスプレート（１１）の有底凸部（１１ｙ）と、その背後に連通する箱抜き凹所（Ｇ）との仕切り壁プレート（２０）（２２）（２４）を具備しており、その仕切り壁プレート（２０）（２２）（２４）が上方から見た場合、箱抜き凹所（Ｇ）と舗装アスファルト（１５）との境界線（Ｘ−Ｘ）とほぼ平行に延在しているため、これから各起立フエイスプレート（１１）の配力アンカー（１６）に代えて又は加えて、別個な補強配力アンカー（２７）の複数をやはり背後方向へ一体的に張り出し延長させることができる。その仕切り壁プレート（２０）（２２）（２４）から張り出す補強配力アンカー（２７）としても上記配力アンカー（１６）と同じく、図７、１６に示すような鉄筋やネジ棒、鋼板（寒冷地の除雪機用誘導板）などを採用し得ることは言うまでもない。
【００５３】
そうすれば、各起立フエイスプレート（１１）から張り出す複数の配力アンカー（１６）が無底凹部（１１ｘ）と有底凸部（１１ｙ）との交互する蛇行形状をなすこととの関係上、隣り合う左右相互間隔ピッチの一定となる制約を受けるに反し、上記補強配力アンカー（２７）はこのような制約を受けることなく、生産工場又は施工現場での溶接により、その仕切り壁プレート（２０）（２２）（２４）から自由自在に張り出し延長させることができ、箱抜き凹所（Ｇ）への埋設固定力を増強し得る利点がある。
【００５４】
その場合、仕切り壁プレート（２０）（２２）（２４）の補強配力アンカー（２７）として、鉄筋又はネジ棒を採用すると共に、これを図７、１６のような仕切り壁プレート（２０）（２２）（２４）に所要間隔おきの点在分布状態として開口形成した複数の補強配力アンカー用挿通孔（２８）から、各起立フエイスプレート（１１）の有底凸部（１１ｙ）内へ抜き差し自在に差し込んだ上、その補強配力アンカー（２７）に刻成したネジ軸部（２７ａ）を、これと螺合締結する固定ナット（２９）によって、上記仕切り壁プレート（２０）（２２）（２４）へ着脱自在に取り付けるならば、これを予じめ抜き取った小型コンパクトな状態のもとで、本発明の伸縮装置を施工現場へ搬送できる利点がある。
【００５５】
特に、第３実施形態の構成では上記仕切り壁プレート（２４）を介して、各起立フエイスプレート（１１）の有底凸部（１１ｙ）とその背後の箱抜き凹所（Ｇ）とが、全体的に遮断されているため、各起立フエイスプレート（１１）の配力アンカー（１６）に代る上記補強配力アンカー（２７）を、その仕切り壁プレート（２４）から一体的に張り出し延長させることの大きな意味があり、上記搬送上の小型コンパクト化にも役立つ。
【００５６】
又、図１６に併せて示す如く、上記有底凸部（１１ｙ）の先端（１１ｙ−Ｆ）と仕切り壁プレート（２４）との前後相互間に亘って、別個な鋼板の荷重支持片（３０）を溶接することにより、その有底凸部（１１ｙ）内を左右の２等分状態に細かく区画形成し、耐荷強度の向上を図っても良い。但し、このような構成は第３実施形態のみならず、第１、２実施形態においても採用することができ、上記蛇行形状の隣り合う左右相互間隔ピッチ（所謂波長）が大きい場合に有効となる。
【００５７】
更に、上記第２、３実施形態の構成では各起立フエイスプレート（１１）の有底凸部（１１ｙ）と、その背後に連通する箱抜き凹所（Ｇ）との仕切り壁プレート（２２）（２４）が、各起立フエイスプレート（１１）の下段位置にあって、箱抜き凹所（Ｇ）の底面（１２）へ垂立することになるため、図１７のようにその仕切り壁プレート（２２）（２４）における下端部の垂直な前面又は後面を活用して、その前面又は後面と別個な押えプレート（３１）とにより、予じめ受け樋形に弯曲形成した弾性止水ベルト（３２）の上部両端を挟み付けた上、ほぼ水平なネジ締結具（３３）の複数を介して固定することができる。
【００５８】
そうすれば、両起立フエイスプレート（１１）の向かい合うほぼ平行な蛇行間隙（Ｄ）が、弾性止水ベルト（３２）によって下方から遮蔽されるため、その蛇行間隙（Ｄ）に介在する上記弾性シール材（１４）とも相俟って、道路橋の遊間（Ｓ）を重畳的な止水状態に密封し得る効果がある。
【００５９】
このような仕切り壁プレート（２２）（２４）の下端部に対する弾性止水ベルト（３２）の取り付け方法としては、図１７と対応する図１８や図１１〜１３、１５に示す如く、各起立フエイスプレート（１１）における有底凸部（１１ｙ）の底プレート（１３）とほぼ平行な止水ベルト支持ステー（３４）を、上記仕切り壁プレート（１１）の下端部から遊間（Ｓ）への前向き一体的に張り出して、その底プレート（１３）と止水ベルト支持ステー（３４）との上下相互間へ、やはり受け樋形弾性止水ベルト（３２）の上部両端を挟み付けると共に、ほぼ垂直なネジ締結具（３５）の複数により固定しても良い。そのための止水ベルト支持ステー（３４）としては図１９のように、別個なアングル形鋼材を上記仕切り壁プレート（２２）（２４）の下端部へ溶接やネジ締結具により固定してもさしつかえない。
【００６０】
又、上記箱抜き凹所（Ｇ）の底面（１２）へ垂立することになる仕切り壁プレート（２２）（２４）の下端部を、図２０のような道路橋の遊間（Ｓ）へ臨むコンクリート床版（１０）又は橋台の角欠け防止カバー（３６）として、その箱抜き凹所（Ｇ）の底面（１２）よりも深く連続的に垂下させると共に、その角欠け防止カバー（３６）のほぼ垂直な前面又は後面と別個な押えプレート（３７）とにより、やはり弾性止水ベルト（３２）の上部両端を挟み付けた上、複数のほぼ水平なネジ締結具（３８）を介して固定しても良い。
【００６１】
更に、上記第２、３実施形態における仕切り壁プレート（２２）（２４）の下端部を、図２１〜２５のような箱抜き凹所（Ｇ）内へ据え付けられる埋設用架台（Ｍ）の垂直な前脚片（３９）として活用すべく、そのまま連続的に垂下させると共に、その前脚片（３９）とこれと向かい合うほぼ平行な後脚片（４０）とこれらの前後相互間に介在する複数のほぼ水平な仕切り連結材（４１ａ）又は複数の垂直な仕切り連結材（４１ｂ）とから、上記架台（Ｍ）を後打ちコンクリート（１７）の流通自由な平面視の格子形態に枠組み一体化する。
【００６２】
そして、このような架台（Ｍ）の上面から組立施工用スタッドアンカー（４２）となる鉄筋やネジ棒などの点在分布する複数本を、一定高さだけ一体的に起立させる一方、上記仕切り壁プレート（２２）（２４）と連続する架台（Ｍ）の前脚片（３９）へ、これと別個な押えプレート（４３）を介して、やはり受け樋形弾性止水ベルト（３２）の上部両端を挟み付けた上、複数のほぼ水平なネジ締結具（４４）により固定することもできる。
【００６３】
その場合、上記架台（Ｍ）から起立するスタッドアンカー（４２）は、各起立フエイスプレート（１１）の配力アンカー（１６）又は／及び仕切り壁プレート（２２）（２４）の補強配力アンカー（２７）へ、これらと交叉する状態に横架される組立施工用の通し筋（１８）を介して、その各交点での溶接を行なうのである。尚、スタッドアンカー（４２）の上端部を通し筋（１８）の係止フックとして折り曲げても良い。
【００６４】
そうすれば、図外の吊持バーにより箱抜き凹所（Ｇ）へ挿入セットされる伸縮装置が、その吊持バーから取りはずし分離された時、両起立フエイスプレート（１１）における無底凹部（１１ｘ）の基端（１１ｘ−Ｒ）を言わば揺動支点として、遊間（Ｓ）への前下がり傾斜状態に倒れるおそれを、確実に防止することができ、伸縮量の大きな伸縮装置や長大橋のそれに有効な高い耐荷強度を得られるほか、補修時における後打ちコンクリート（１７）の刳り取り深さを、上記箱抜き凹所（Ｇ）に埋設された架台（Ｍ）によって、その刳り取り過ぎない一定に規制することもでき、コンクリート床版（１０）や橋台の傷付き弱体化を予防し得る効果がある。
【００６５】
何れにしても、上記弾性止水ベルト（３２）は図２６、２７のような道路橋の一車線とほぼ対応する一定の単位長さ（約３〜４mm）に寸法化して、その隣り合う同士の継ぎ目を別個な弾性止水パッド（４５）の貼り合わせにより、部分的な積層状態に密封することが好ましい。
【００６６】
上記した一定単位長さを備えた起立フエイスプレート（１１）の補修作業は、交通渋滞の予防上一車線単位で行なわれるため、上記仕切り壁プレート（２２）（２４）の弾性止水ベルト（３２）をその起立フエイスプレート（１１）の端部から予じめ張り出すように関係設定しておくことにより、これを一旦持ち上げて、その弾性止水ベルト（３２）の継ぎ目に弾性止水パッド（４５）を貼り合わせることができ、その補修も施工現場での便利良く行なえるのである。
【００６７】
尚、図１７〜２０や図２１〜２５に基いて、弾性止水ベルト（３２）の上部両端を挟み付けた上、ネジ締結具（３３）（３５）（３８）（４４）により悉く固定する旨として説明したが、その上部両端を接着剤により貼り付けるか又は加硫接着する方法や、同じく上部の何れか一端のみを接着剤により貼り付けるか又は加硫接着して、残る上部の他端のみをネジ締結具（３３）（３５）（３８）（４４）によって着脱自在に固定する方法も採用に値いする。
【００６８】
上記受け樋形に弯曲形成された弾性止水ベルト（３２）の内部へ、スポンジやその他の防音兼用止水材（４６）を充填するならば、上記弾性シール材（１４）並びに弾性止水ベルト（３２）との相乗的な止水効果に加えて、道路橋の遊間（Ｓ）から騒音として放出される車両通過音の防音効果も得られる利点がある。
【００６９】
又、同じく第２、３実施形態における仕切り壁プレート（２２）（２４）の下端部を、図２８、２９のような鋼製主桁（４７）に対するＬ字形取付プレート（Ａ）の垂直な脚片（４８）として、やはり連続的に垂下させると共に、その取付プレート（Ａ）に残るほぼ水平なコンクリート床版用抜け落ち防止片（４９）を、複数の垂直なネジ締結具（５０）により上記主桁（４７）の上部フランジへ固定することが望ましい。
【００７０】
そうすれば、後打ちコンクリート（１７）の刳り取りによる補修工事の繰り返しに起因して、残存するコンクリート床版（１０）に万一クラックが入っていた場合でも、その床版（１０）の抜け落ちるおそれを防止できる効果がある。尚、このような取付プレート（Ａ）の垂直な脚片（４８）へ図１７、２０の構成に準じて、別個な押えプレート（３１）とネジ締結具（３３）により、上記弾性止水ベルト（３２）を挟み付け固定することも考えられる。
【００７１】
先には、一定単位長さの各起立フエイスプレート（１１）として、その連続１枚物の鋼板から無底凹部（１１ｘ）と有底凸部（１１ｙ）とが交互する平面視の波形状や鋸歯形状、櫛形状、その他の蛇行形状に屈曲された構成を説明したが、これではその生産のために大型の板金プレス加工機械と上記有底凸部（１１ｙ）の底プレート（１３）を対応的な平面形状にカットする機械並びにその溶接機が必要となり、上記無底凹部（１１ｘ）と有底凸部（１１ｙ）との交互に蛇行する左右相互間隔ピッチ（所謂波長）や伸縮量が相違変化した各種伸縮装置の生産に対処し難い。
【００７２】
そこで、このような課題も改良するため、上記第１〜３実施形態の何れにあっても、その各起立フエイスプレート（１１）としては次のような複数のプレートセグメントから組み立て生産することが好ましい。
【００７３】
即ち、各起立フエイスプレート（１１）を平面視の波形状に生産する場合について言えば、その無底凹部（１１ｘ）と有底凸部（１１ｙ）とを図３０〜３４のような平面視のほぼＺ字形、ほぼＳ字形又は／及びほぼＬ字形に折り曲げられたプレートセグメント（１１ｐ）の複数から継ぎ足し状態に溶接して、その連続的な波形状に組み立てるのである。
【００７４】
又、各起立フエイスプレート（１１）を平面視の櫛形状として生産する場合には、その無底凹部（１１ｘ）と有底凸部（１１ｙ）とを図３５のような平面視のほぼＬ字形又は／及びほぼＺ字形に折り曲げられたプレートセグメント（１１ｐ）の複数から、やはり継ぎ足し状態に溶接することによって、連続的な櫛形状に組み立てれば良い。
【００７５】
同じく各起立フエイスプレート（１１）を平面視の櫛形状として生産するに当り、図３５の上記方法に代えて、その各起立フエイスプレート（１１）の有底凸部（１１ｙ）を図３６のような１枚物のプレートセグメント（１１ｐ）から平面視のほぼコ字形に折り曲げるか、又は図３７のように別個な２枚のプレートセグメント（１１ｐ−１）（１１ｐ−２）から平面視のほぼコ字形に溶接すると共に、その何れにしてもほぼコ字形プレートセグメント（１１ｐ）（１１ｐ−１）（１１ｐ−２）の切り離し両端基部を、上記仕切り壁プレート（２０）（２２）（２４）へ各々突き当て状態に溶接することにより、上記有底凸部（１１ｙ）を各々平面視の長方形に区画形成するのである。
【００７６】
そうすれば、その長方形をなす有底凸部（１１ｙ）と、これを逃し入れる相対的なほぼ逆向きコ字形の無底凹部（１１ｘ）とが、図３７のように交互することとなる平面視の全体的な櫛形状に組み立てられた起立フエイスプレート（１１）を得られる。
【００７７】
その場合、１枚物のプレートセグメント（１１ｐ）から平面視のほぼコ字形に折り曲げられた有底凸部（１１ｙ）内へ、図１６の構成に準じて、図３８のように特別な厚肉の荷重支持片（３０）を細分状態に溶接したり、又上記有底凸部（１１ｙ）を別個な２枚のプレートセグメント（１１ｐ−１）（１１ｐ−２）から平面視のほぼコ字形に溶接する際、その何れか一方を図３９のような薄肉の第１プレートセグメント（１１ｐ−１）として平面視のほぼＬ字形に折り曲げ、残る他方をこれよりも厚肉のストレートな第２プレートセグメント（１１ｐ−２）として組み立てたりしても良く、これによれば有底凸部（１１ｙ）の厚肉な第２プレートセグメント（１１ｐ−２）に通行車両の効果的な荷重支持機能を与えることができる。
【００７８】
更に言えば、図３７〜３９ではほぼコ字形プレートセグメント（１１ｐ）（１１ｐ−１）（１１ｐ−２）の切り離し両端基部を仕切り壁プレート（２０）（２２）（２４）へ、各々突き当て状態に溶接して、上記有底凸部（１１ｙ）を平面視の長方形に区画形成しているが、その各起立フエイスプレート（１１）の有底凸部（１１ｙ）を図４０に示す如く、平面視のほぼＬ字形に折り曲げられた薄肉な第１プレートセグメント（１１ｐ−１）と、これよりも厚肉のストレートな第２プレートセグメント（１１ｐ−２）とから、平面視のほぼコ字形に溶接すると共に、その第１プレートセグメント（１１ｐ−１）の切り離し基端部だけを上記仕切り壁プレート（２０）（２２）（２４）へ突き当て状態に溶接する一方、残りの第２プレートセグメント（１１ｐ−２）はこれを各起立フエイスプレート（１１）の配力アンカー（１６）として、上記第１実施形態における仕切り壁プレート（２０）の下方間隙（Ｏ１）か、又は第２実施形態における上段仕切り壁プレート（２０）と下段仕切り壁プレート（２２）との相互間隙（Ｏ２）を通じて、その背後の箱抜き凹所（Ｇ）へ各々張り出し延長させても良い。
【００７９】
この点、上記第３実施形態の仕切り壁プレート（２４）は各起立フエイスプレート（１１）の有底凸部（１１ｙ）と、その背後の箱抜き凹所（Ｇ）とを全体的に遮断しているため、上記厚肉のストレートな第２プレートセグメント（１１ｐ−２）から成る配力アンカー（１６）を図４１、４２のように、上記仕切り壁プレート（２４）の突っ切り分割状態として背後方向へ張り出し延長させ、その突っ切り分割状態にある交叉部分を溶接一体化する。
【００８０】
このように組み立てられた櫛形状の起立フエイスプレート（１１）では、その厚肉のストレートな第２プレートセグメント（１１ｐ−２）から成る配力アンカー（１６）が上記箱抜き凹所（Ｇ）への後向きに張り出す先端部を、望ましくは低く切り欠かれた通し筋用受け座（１６ｒ）として、ここへ複数の組立施工用通し筋（１８）を交叉状態に整然と安定良く載架させることができる一方、その厚肉な第２プレートセグメント（１１ｐ−２）が仕切り壁プレート（２４）から前向きに張り出す基端部を、上記有底凸部（１１ｙ）の荷重支持片（１６ｆ）として機能させることができるため、特に伸縮量の大きな伸縮装置や長大橋用のそれとして、著しく有効である。
【００８１】
又、別個な２枚のプレートセグメント（１１ｐ−１）（１１ｐ−２）から組み立てることにより、平面視の長方形に区画形成された各起立フエイスプレート（１１）の有底凸部（１１ｙ）を、直橋用伸縮装置に代る斜橋用伸縮装置のそれとして、特に図４３のようなスキュー角（θ）と対応合致する平面視の平行四辺形に区画形成しても良く、そのための組み立ては図３７〜４２の上記方法に準じて行なうことができる。
【００８２】
そして、このような斜橋用伸縮装置の起立フエイスプレート（１１）も平面視の櫛形状であると言うことができ、その有底凸部（１１ｙ）と無底凹部（１１ｘ）との境界部（１１ｚ）が橋軸線との平行面をなすことに変りはない。
【００８３】
そのため、図４４の平面模式図に示す如く、その実線のニュートラル線（Ｎ−Ｎ）を標準温度時として、これから冬期と夏期での温度変化を受け、仮想線のように伸縮した時、上記有底凸部（１１ｙ）を区画形成している平行四辺形の長辺が、橋軸線と平行に進退移動することとなり、その両起立フエイスプレート（１１）における有底凸部（１１ｙ）同士の左右相互間に自動二輪車の脱輪する大きな間隙を発生してしまう危険性がない。
【００８４】
これに比して、起立フエイスプレート（１１）の有底凸部（１１ｙ）と無底凹部（１１ｘ）との境界部（１１ｚ）が図４５の平面模式図に示す如く、橋軸線と交叉する傾斜面を備えた波形状では、そのニュートラル線（Ｎ−Ｎ）から温度変化により伸縮した時、両起立フエイスプレート（１１）における有底凸部（１１ｙ）同士の左右相互間がいたづらに拡開することとなって、その拡開した間隙（Ｅ）から通行する自動二輪車の脱輪してしまうおそれがあり、このことは鋸歯形状の起立フエイスプレート（１１）についても同様に言える。
【００８５】
特に、上記第３実施形態の構成を備えた各起立フエイスプレート（１１）の有底凸部（１１ｙ）について、図３６〜３９や図４１、４２の組み立て方法を適用する場合には、その仕切り壁プレート（２４）を介して箱抜き凹所（Ｇ）と全体的に遮断された有底凸部（１１ｙ）内へ、後打ちコンクリート（１７）よりも骨材の粒度が細かい樹脂コンクリートや無収縮モルタル、セメントモルタル、その他の各種充填物（５１）を打設することが好ましい。
【００８６】
そうすれば、茲に充填物（５１）も耐荷強度の向上に寄与するため、伸縮量の大きな伸縮装置や長大橋用のそれとして著しく有益である。但し、上記有底凸部（１１ｙ）の大きさ如何では、その内部へ箱抜き凹所（Ｇ）と同じ後打ちコンクリート（１７）を充填してもさしつかえない。
【００８７】
その場合、各起立フエイスプレート（１１）の有底凸部（１１ｙ）を区画形成する第１プレートセグメント（１１ｐ−１）又は／及び第２プレートセグメント（１１ｐ−２）からは、上記充填物（５１）や後打ちコンクリート（１７）のジベルとなる突起（５２）を内向き一体的に張り出して、喰い付き力を昂めることが望ましい。
【００８８】
各起立フエイスプレート（１１）は平面視の鋸歯形状として生産することもでき、その場合には有底凸部（１１ｙ）を図２８や図４６、４７のような１枚物のプレートセグメント（１１ｐ）から平面視のほぼく字形若しくはほぼレ字形に折り曲げるか、又は図４８のように別個な２枚のプレートセグメント（１１ｐ−１）（１１ｐ−２）から平面視のほぼく字形若しくはほぼレ字形に溶接する。
【００８９】
そして、その何れにしてもほぼく字形又はほぼレ字形プレートセグメント（１１ｐ）（１１ｐ−１）（１１ｐ−２）の切り離し両端基部を、上記仕切り壁プレート（２０）（２２）（２４）へ各々突き当て状態に溶接することにより、上記有底凸部（１１ｙ）を各々平面視の三角形に区画形成するのである。
【００９０】
そうすれば、その三角形をなす有底凸部（１１ｙ）と、これを逃し入れる相対的なほぼ逆向きく字形又はほぼ逆向きレ字形の無底凹部（１１ｘ）とが、図２８や図４６〜４８のように交互することとなる平面視の全体的な鋸歯形状に組み立てられた起立フエイスプレート（１１）を得られる。
【００９１】
その場合、図４６、４８に併せて示す如く、平面視のほぼく字形に折り曲げ又は溶接された有底凸部（１１ｙ）内へ、図３０、３８の上記構成に準じて、別個な荷重支持片（３０）を左右の２等分状態に溶接したり、又その有底凸部（１１ｙ）の先端（１１ｙ−Ｆ）から同じく左右に２等分する厚肉な配力アンカー（１６）を、図４７のように仕切り壁プレート（２０）（２２）（２４）を突っ張り分割する如く、背後方向へ一体的に張り出し延長させて、その突っ切り分割状態にある交叉部分を溶接一体化しても良い。
【００９２】
更に言えば、図４７、４８ではほぼく字形又はほぼレ字形プレートセグメント（１１ｐ）（１１ｐ−１）（１１ｐ−２）の切り離し両端基部を、仕切り壁プレート（２０）（２２）（２４）へ各々突き当て状態に溶接して、上記有底凸部（１１ｙ）を平面視の三角形に区画形成しているが、その各起立フエイスプレート（１１）の有底凸部（１１ｙ）を図４９、５０に示す如く、薄肉のストレートな第１プレートセグメント（１１ｐ−１）と、これよりも厚肉な第２プレートセグメント（１１ｐ−２）とから、平面視のほぼく字形又はほぼレ字形に溶接すると共に、その第１プレートセグメント（１１ｐ−１）の切り離し基端部だけを上記仕切り壁プレート（２０）（２２）（２４）へ突き当て状態に溶接する一方、残りの第２プレートセグメント（１１ｐ−２）はこれを各起立フエイスプレート（１１）の配力アンカー（１６）として、上記第１実施形態における仕切り壁プレート（２０）の下方間隙（Ｏ１）か、又は第２実施形態における上段仕切り壁プレート（２０）と下段仕切り壁プレート（２２）との相互間隙（Ｏ２）を通じて、その背後の箱抜き凹所（Ｇ）へ各々張り出し延長させてもさしつかえない。
【００９３】
このように組み立てられた鋸歯形状の起立フエイスプレート（１１）でも、その厚肉な第２プレートセグメント（１１ｐ−２）から成る配力アンカー（１６）が上記箱抜き凹所（Ｇ）への後向きに張り出す先端部を、やはり低く切り欠かれた通し筋用の受け座（１６ｒ）として、その平坦面へ複数の組立施工用通し筋（１８）を交叉状態に安定良く載架させることができるほか、同じく厚肉な第２プレートセグメント（１１ｐ−２）が仕切り壁プレート（２０）（２２）から遊間（Ｓ）への前向きに張り出す基端部を、上記有底凸部（１１ｙ）の荷重支持片（１６ｆ）として機能させ得る効果がある。
【００９４】
そして、このような鋸歯形状の起立フエイスプレート（１１）でも図４１、４２に基き説示した上記櫛形状のそれと同じく、有底凸部（１１ｙ）と箱抜き凹所（Ｇ）とが仕切り壁プレート（２４）を介して全体的に遮断された構成の上記第３実施形態に適用して、その三角形の有底凸部（１１ｙ）内へ後打ちコンクリート（１７）やこれよりも骨材の粒度が細かい各種充填物（５１）を打設することができる。
【００９５】
尚、この場合にも各起立フエイスプレート（１１）の有底凸部（１１ｙ）を区画形成するプレートセグメント（１１ｐ）（１１ｐ−１）（１１ｐ−２）から、上記充填物（５１）や後打ちコンクリート（１７）のジベルとなる突起（５２）を内向き一体的に張り出すことが好ましい。
【図面の簡単な説明】
【００９６】
【図１】本発明の第１実施形態を示す施工状態の斜面図である。
【図２】図１の拡大平面図である。
【図３】図２の３−３線に沿う拡大断面図である。
【図４】アングル型鋼材の仕切り壁プレートを示す図３に対応する断面図である。
【図５】滑らかな波形状の起立フエイスプレートと、これに外接した取付状態の長い仕切り壁プレートを示す斜面図である。
【図６】同じく角張った波形状の起立フエイスプレートと、これから張り出す配力アンカーを示す斜面図である。
【図７】仕切り壁プレートに取り付けたネジ棒の補強配力アンカーを示す斜面図である。
【図８】起立フエイスプレートに嵌め付けた状態の短かい仕切り壁プレートを示す斜面図である。
【図９】起立フエイスプレートから張り出す鋼板の配力アンカーを示す斜面図である。
【図１０】本発明の第２実施形態を示す図３に対応する断面図である。
【図１１】図１０の起立フエイスプレートを抽出した拡大斜面図である。
【図１２】図１１の施工状態を示す斜面図である。
【図１３】起立フエイスプレートに嵌め付けた状態の短かい仕切り壁プレートを示す図１１に対応する斜面図である。
【図１４】本発明の第３実施形態を示す図３、１０に対応する断面図である。
【図１５】図１４の起立フエイスプレートを抽出した拡大斜面図である。
【図１６】滑らかな波形状の起立フエイスプレートへ外接状態に取り付けた仕切り壁プレートと、これから張り出す補強配力アンカーを示す斜面図である。
【図１７】上記第２実施形態の仕切り壁プレートへ弾性止水ベルトを取り付けた状態の断面図である。
【図１８】弾性止水ベルトの別な取り付け状態を示す図１７に対応する断面図である。
【図１９】上記第３実施形態の仕切り壁プレートへ弾性止水ベルトを取り付けた状態の断面図である。
【図２０】上記第２実施形態の仕切り壁プレートから垂下する床版用角欠け防止カバーへ弾性止水ベルトを取り付けた状態の断面図である。
【図２１】箱抜き凹所の内部へ据え付けられる伸縮継手埋設用架台を示す斜面図である。
【図２２】図２１の架台へ弾性止水ベルトを取り付けた状態の断面図である。
【図２３】架台から起立するスタッドアンカーの先端折り曲げ状態を示す図２２に対応する断面図である。
【図２４】上記埋設用架台の変形実施形態を示す図２１に対応する斜面図である。
【図２５】図２４の架台へ弾性止水ベルトを取り付けた状態の断面図である。
【図２６】弾性止水ベルトの継ぎ目に対する弾性止水パッドの貼り合わせ状態を示す断面図である。
【図２７】図２６の２７−２７線に沿う拡大断面図である。
【図２８】鋸歯形状の起立フエイスプレートと、これに外接した取付状態の長い仕切り壁プレートを示す平面図である。
【図２９】図２８の２９−２９線に沿う拡大断面図である。
【図３０】複数のプレートセグメントから継ぎ足し状態に溶接された滑らかな波形状の起立フエイスプレートを示す斜面図である。
【図３１】図３０と異なる継ぎ足し状態を示す平面模式図である。
【図３２】複数のプレートセグメントから継ぎ足し状態に溶接された角張った波形状の起立フエイスプレートを示す斜面図である。
【図３３】短かい仕切り壁プレートが嵌め付けられた起立フエイスプレートを示す図３２に対応する斜面図である。
【図３４】図３２の平面模式図である。
【図３５】複数のプレートセグメントから継ぎ足し状態に溶接された櫛形状の起立フエイスプレートを示す平面模式図である。
【図３６】図３５の仕上がり状態を示す斜面図である。
【図３７】別個な２枚のプレートセグメントから組み立てられた櫛形状の起立フエイスプレートを示す斜面図である。
【図３８】有底凸部内に別個な荷重支持片が溶接された櫛形状の起立フエイスプレートを示す斜面図である。
【図３９】厚みが相違する２枚のプレートセグメントから組み立てられた櫛形状の起立フエイスプレートを示す斜面図である。
【図４０】厚肉なプレートセグメントが起立フエイスプレートの配力アンカーとして、仕切り壁プレートから背後方向へ張り出し延長された櫛形状を示す斜面図である。
【図４１】図４０と対応する櫛形状の起立フエイスプレートを埋設用架台へ搭載した施工状態の斜面図である。
【図４２】図４１の拡大断面図である。
【図４３】櫛形状の起立フエイスプレートから成る斜橋用の伸縮継手を示す斜面図である。
【図４４】図４３の伸縮作用を示す平面模式図である。
【図４５】波形状又は鋸歯形状の起立フエイスプレートから成る斜橋用伸縮継手の伸縮作用を示す平面模式図である。
【図４６】鋸歯形状の起立フエイスプレートと仕切り壁プレートとの組立状態を示す斜面図である。
【図４７】起立フエイスプレートの配力アンカーが仕切り壁プレートから背後方向へ張り出された鋸歯形状を示す斜面図である。
【図４８】複数のプレートセグメントから突き当て状態に溶接された鋸歯形状の起立フエイスプレートを示す斜面図である。
【図４９】厚肉なプレートセグメントが起立フエイスプレートの配力アンカーとして、仕切り壁プレートから背後方向へ張り出し延長された鋸歯形状を示す斜面図である。
【図５０】図４９と異なる組立状態の鋸歯形状を示す斜面図である。
【図５１】従来の伸縮装置を示す図１に対応する斜面図である。
【図５２】図５１の拡大平面図である。
【図５３】図５２の５３−５３線に沿う拡大断面図である。
【符号の説明】
【００９７】
（１０）・コンクリート床版
（１１）・起立フエイスプレート
（１１ｘ）・無底凹部
（１１ｙ）・有底凸部
（１１ｚ）・境界部
（１１ｙ−Ｆ）・有底凸部の先端
（１１ｘ−Ｒ）・無底凹部の基端
（１１ｐ）（１１ｐ−１）（１１ｐ−２）・プレートセグメント
（１２）・箱抜き凹所の底面
（１３）・底プレート
（１４）・弾性シール材
（１５）・舗装アスファルト
（１６）・配力アンカー
（１６ｆ）・荷重支持片
（１６ｒ）・受け座
（１７）・後打ちコンクリート
（１８）・通し筋
（１９）・埋込み筋又は差し筋アンカー
（２０）（２２）（２４）・仕切り壁プレート
（２１）・接続アングル
（２３）・突起（ジベル）
（２５）・配力アンカー用逃し入れ孔
（２６）・連通口（ジベル）
（２７）・補強配力アンカー
（２８）・補強配力アンカー用挿通孔
（２９）・固定ナット
（３０）・荷重支持片
（３１）（３７）（４３）・押えプレート
（３２）・弾性止水ベルト
（３３）（３５）（３８）（４４）（５０）・ネジ締結具
（３４）・止水ベルト支持ステー
（３６）・角欠け防止カバー
（３９）・前脚片
（４０）・後脚片
（４１ａ）（４１ｂ）・・仕切り連結材
（４２）・スタッドアンカー
（４５）・弾性止水パッド
（４６）・防音兼用止水材
（４７）・主桁
（４８）・脚片
（４９）・抜け落ち防止片
（５１）・充填物
（５２）・突起（ジベル）
（Ａ）・取付プレート
（Ｃ）・後打ちコンクリートの収縮クラック
（Ｄ）・蛇行間隙
（Ｇ）・箱抜き凹所
（Ｍ）・架台
（Ｓ）・遊間（継ぎ目）
（Ｘ−Ｘ）・境界線
（ｄ１）・一定深さ
（ｄ２）・一定高さ
（ｈ）・背丈
（Ｏ１）・下方間隙
（Ｏ２）・上下相互間隙
（θ）・斜橋のスキュー角
【図１】
2008121190.tif 000003
【図２】
2008121190.tif 000004
【図３】
2008121190.tif 000005
【図４】
2008121190.tif 000006
【図５】
2008121190.tif 000007
【図６】
2008121190.tif 000008
【図７】
2008121190.tif 000009
【図８】
2008121190.tif 000010
【図９】
2008121190.tif 000011
【図１０】
2008121190.tif 000012
【図１１】
2008121190.tif 000013
【図１２】
2008121190.tif 000014
【図１３】
2008121190.tif 000015
【図１４】
2008121190.tif 000016
【図１５】
2008121190.tif 000017
【図１６】
2008121190.tif 000018
【図１７】
2008121190.tif 000019
【図１８】
2008121190.tif 000020
【図１９】
2008121190.tif 000021
【図２０】
2008121190.tif 000022
【図２１】
2008121190.tif 000023
【図２２】
2008121190.tif 000024
【図２３】
2008121190.tif 000025
【図２４】
2008121190.tif 000026
【図２５】
2008121190.tif 000027
【図２６】
2008121190.tif 000028
【図２７】
2008121190.tif 000029
【図２８】
2008121190.tif 000030
【図２９】
2008121190.tif 000031
【図３０】
2008121190.tif 000032
【図３１】
2008121190.tif 000033
【図３２】
2008121190.tif 000034
【図３３】
2008121190.tif 000035
【図３４】
2008121190.tif 000036
【図３５】
2008121190.tif 000037
【図３６】
2008121190.tif 000038
【図３７】
2008121190.tif 000039
【図３８】
2008121190.tif 000040
【図３９】
2008121190.tif 000041
【図４０】
2008121190.tif 000042
【図４１】
2008121190.tif 000043
【図４２】
2008121190.tif 000044
【図４３】
2008121190.tif 000045
【図４４】
2008121190.tif 000046
【図４５】
2008121190.tif 000047
【図４６】
2008121190.tif 000048
【図４７】
2008121190.tif 000049
【図４８】
2008121190.tif 000050
【図４９】
2008121190.tif 000051
【図５０】
2008121190.tif 000052
【図５１】
2008121190.tif 000053
【図５２】
2008121190.tif 000054
【図５３】
2008121190.tif 000055